(57)【要約】【課題】タービンシュラウドへ供給された空気流を、複数の制御論理システムの適用によって制御することのできるシステムを提供する。【解決手段】航空機エンジンにおけるガスタービンのシュラウドに与えられる空気流を制御するシステムであって、空気流が、第１の制御信号Ｓｃ１０によって制御される位置の調整器バルブ６０によって調整され、第１の制御信号Ｓｃ１０は、ロータとタービンシュラウドとの間の所定クリアランスに対応している第１の設定値Ｖｃ１０に基づいて算出される。このシステムは、タービンにおけるクリアランスを表わす第１の値Ｖｃ１０とは異なる第２の設定値Ｖｃ２０、Ｖｃ３０に基づいて、少なくとも１つの第２の制御信号Ｓｃ２０、Ｓｃ３０を算出する手段２０、３０と、１つ以上のエンジンパラメータに応じて調整器バルブを制御するために第２の制御信号を選択する選択手段５０とをさらに備える。【選択図】      図２
2006002766.tif 000002
【特許請求の範囲】
【請求項１】
航空機エンジンにおけるガスタービンのシュラウドに与えられる空気流を制御するシステムであり、空気流が、第１の制御信号（Ｓｃ１０）によって制御される位置の調整器バルブ（６０）によって調整され、該第１の制御信号（Ｓｃ１０）が、ロータとタービンシュラウドとの間の所定クリアランスに対応している第１の設定値（Ｖｃ１０）に基づいて算出されるシステムであって、
前記システムが、タービンクリアランスを表わす第１の値（Ｖｃ１０）とは異なる第２の設定値（Ｖｃ２０、Ｖｃ３０）に基づいて少なくとも１つの第２の制御信号（Ｓｃ２０、Ｓｃ３０）を算出する手段（２０、３０）と、１つ以上のエンジンパラメータに応じて調整器バルブを制御するために第２の制御信号を選択する選択手段（５０）とをさらに備えることを特徴とする、システム。
【請求項２】
第２の設定値（Ｖｃ２０、Ｖｃ３０）が、所定のタービン温度あるいは所定のバルブ開口度に対応していることを特徴とする、請求項１に記載のシステム。
【請求項３】
第２の設定値（Ｖｃ２０）が、所定のタービン温度に対応しており、選択手段（５０）が、摩耗のための温度上昇を検知することのできる１つ以上のエンジンパラメータに応じて第２の制御信号（Ｓｃ２０）を選択することを特徴とする、請求項１に記載のシステム。
【請求項４】
第２の設定値（Ｖｃ３０）が、所定のバルブ開口度に対応しており、選択手段（５０）が、アイドル速度で作動しているエンジンを検知するか、あるいは第１の制御信号の障害を検知するために適している１つ以上のエンジンパラメータに応じて、第２の制御信号（Ｓｃ３０）を選択することを特徴とする、請求項１に記載のシステム。
【請求項５】
第１の設定値および第２の設定値とは異なる第３の設定値（Ｖｃ３０、Ｖｃ２０）に基づいて第３の制御信号（Ｓｃ３０、Ｓｃ２０）を算出する手段をさらに備え、選択手段（５０）が、１つ以上のエンジンパラメータに応じて調整器バルブを制御するために第３の制御信号を選択することを特徴とする、請求項１から４のいずれか一項に記載のシステム。
【請求項６】
第３の設定値（Ｖｃ３０、Ｖｃ２０）が、所定のバルブ開口度あるいは所定のタービン温度に対応していることを特徴とする、請求項５に記載のシステム。
【請求項７】
所定のバルブ開口度に対応している第３の設定値（Ｖｃ３０）に基づいて第３の制御信号（Ｓｃ３０）を算出する手段をさらに備え、選択手段（５０）が、アイドル速度で作動しているエンジンを検知するか、あるいは第１の制御信号の障害を検知するために作用する１つ以上のエンジンパラメータに応じて、第３の制御信号を選択することを特徴とする、請求項１から３のいずれか一項に記載のシステム。
【請求項８】
所定のタービン温度に対応している第３の設定値（Ｖｃ２０）に基づいて第３の制御信号（Ｓｃ２０）を算出する手段をさらに備え、選択手段（５０）が、所定レベルの摩耗を検知することのできる１つ以上のエンジンパラメータに応じて第３の制御信号を選択することを特徴とする、請求項１、２、および４のいずれか一項に記載のシステム。
【請求項９】
制御信号を算出する手段（２０、３０）が、エンジンの初期条件を１つ以上のエンジンパラメータに応じて再構成する手段（１２１）を含むことを特徴とする、請求項１から８のいずれか一項に記載のシステム。
【請求項１０】
タービンケーシングに与えられる空気流が、ファンから、あるいはエンジンの１つ以上の圧縮機段から得られることを特徴とする、請求項１から９のいずれか一項に記載のシステム。
【請求項１１】
航空機エンジンにおけるガスタービンのシュラウドに与えられる空気流を制御する方法であり、空気流が、第１の制御信号（Ｓｃ１０）によって制御される位置の調整器バルブ（６０）によって調整され、該第１の制御信号（Ｓｃ１０）が、ロータとタービンシュラウドとの間の所定クリアランスに対応している第１の設定値（Ｖｃ１０）から算出される方法であって、
少なくとも１つの第２の制御信号（Ｓｃ２０、Ｓｃ３０）が、同様にタービンにおけるクリアランスを表わす第１の値（Ｖｃ１０）とは異なる第２の設定値（Ｖｃ２０、Ｖｃ３０）に基づいて算出され、前記第２の制御信号が、エンジンの１つ以上のパラメータに応じて調整器バルブを制御するために選択されることを特徴とする、方法。
【請求項１２】
第２の設定値（Ｖｃ２０、Ｖｃ３０）が、所定のタービン温度あるいは所定のバルブ開口度に対応していることを特徴とする、請求項１１に記載の方法。
【請求項１３】
第２の設定値（Ｖｃ２０）が、所定のタービン温度に対応していることと、および第２の制御信号（Ｓｃ２０）が、摩耗のための温度上昇を検知することのできる１つ以上のエンジンパラメータに応じて選択されることを特徴とする、請求項１１に記載の方法。
【請求項１４】
第２の設定値（Ｖｃ３０）が、所定のバルブ開口度に対応していることと、および第２の制御信号（Ｓｃ３０）が、エンジンの作動およびアイドル速度を検知することができるか、あるいは第１の制御信号の障害を検知することができる、１つ以上のエンジンパラメータに応じて選択されることを特徴とする、請求項１１に記載の方法。
【請求項１５】
第３の制御信号（Ｓｃ３０、Ｓｃ２０）が、同様に第１の設定値および第２の設定値とは異なる第３の設定値（Ｖｃ３０、Ｖｃ２０）に基づいて算出されることと、および前記第３の制御信号が、１つ以上のエンジンパラメータに応じて調整器バルブを制御するために選択されることを特徴とする、請求項１１から１４のいずれか一項に記載の方法。
【請求項１６】
第３の設定値（Ｖｃ３０、Ｖｃ２０）が、所定のバルブ開口度あるいは所定のタービン温度に対応していることを特徴とする、請求項１５に記載の方法。
【請求項１７】
第３の制御信号（Ｓｃ３０）が、同様に所定のバルブ開口度に対応している第３の設定値（Ｖｃ３０）に基づいて算出されることと、および第３の制御信号が、アイドル速度におけるエンジンの作動を検知することができるか、あるいは第１の制御信号の障害を検知することができる、１つ以上のエンジンパラメータに応じて選択されることを特徴とする、請求項１１から１３のいずれか一項に記載の方法。
【請求項１８】
第３の制御信号（Ｓｃ２０）が、同様に所定のタービン温度に対応している第３の設定値（Ｖｃ２０）に基づいて算出されることと、および第３の制御信号が、定められた摩耗度を検知することができる１つ以上のエンジンパラメータに応じて選択されることを特徴とする、請求項１１、１２、および１４のいずれか一項に記載の方法。
【請求項１９】
制御信号を算出する工程を実行するのに先立って、エンジンの初期条件を１つ以上のエンジンパラメータに応じて再構成する工程を含むことを特徴とする、請求項１１から１８のいずれか一項に記載の方法。
【請求項２０】
タービンシュラウドに与えられる空気流が、ファンから、あるいはエンジンの１つ以上の圧縮機段から得られることを特徴とする、請求項１１から１９のいずれか一項に記載の方法。
【発明の詳細な説明】
【技術分野】
【０００１】
本発明は、航空機エンジンに使用されるような、またロータブレードの先端とステータシュラウドとの間のクリアランスが、制御された流量に従う空気流によって制御される、高圧タービンに関する。
【背景技術】
【０００２】
図１は、主として、燃焼室（図示せず）からもたらされる高温ガスの流れ１０５に配置された複数の可動ブレード１０２を備える、ターボ機械の高圧タービン１００を示す。タービンの可動ブレード１０２は、シュラウドまたはリング１０６によって包囲されている。シュラウド１０６は、複数のセクタ１１０を介してタービンのケーシング１０８に固定されている。
【０００３】
このようなタービンの効率を増大させるために、タービンロータの可動ブレード１０２の先端とシュラウド１０６との間に存在するクリアランスｊを、できるだけ小さくする必要のあることが知られている。
【０００４】
この目的のために、クリアランスｊを制御する制御装置１１２が、タービンのケーシング１０８の周りに取り付けられている。この制御装置１１２は、特に、温度を変更するために、ケーシング１０８の環状フィン１１６に空気を吐出するように作用する、環状空気流マニホールド１１４を備える。
【０００５】
制御装置１１２には、ターボ機械の他の部分（ファンあるいは高圧圧縮機段）から得られた空気が送り込まれる。装置１１２へ噴射される空気流は、装置１１２の上流側に配置されたバルブ１２０によって、それ自体制御される。バルブ１２０には、装置１１２へ噴射された空気流Ｆｉを決定するように、その開口の０％から１００％の範囲にある任意位置にバルブを配置する、制御信号Ｓｃｏｍによって制御されるアクチュエータが取り付けられている。
【０００６】
制御信号Ｓｃｏｍは、ロータブレードの先端とシュラウドとの間に存在するクリアランスｊを、到達されるかあるいは維持されるべき所定クリアランス値に対応している設定値と比較する、調整器ループによって算出される。装置１１２へ噴射された空気流Ｆｉは、次いで、受信された制御信号Ｓｃｏｍに応じて調整され、それによって、ケーシング１０８の環状フィン１１６は、クリアランスｊを設定値にするような方法で、タービンのシュラウド１０６の径を変化させるように、熱的に膨脹されるかまたは収縮されることができる。
【０００７】
しかしながら、先に説明したように、調整器バルブは、単一型の設定値だけに、すなわちロータブレードの先端とシュラウドとの間の所定クリアランスの表わす値に対してだけに制御される。このことは、この制御論理が、飛行の巡航段階、すなわち飛行時間の主要部分を表わす段階で実施されるという事実によって、特に説明される。クリアランスを制御すると、エンジン効率が改善されることができ、従って、巡航状態の下での燃料消費量が改善されることができるが、この基準は、潜在的な燃料節約を無視することができるか、あるいは所望の制御を事実上実行することができない（例えば、アイドリング中に低温でクリアランスが大き過ぎるため）、エンジン作動における他の段階、例えばアイドリング中あるいは離陸中においては、必ずしも最大の優先事項ではない。
【０００８】
このために、現行のシステムでは、空気の流量を、ブレードの先端とタービンシュラウドとの間のクリアランスに対応している値以外の設定値に基づいて、制御することはできない。
【発明の開示】
【発明が解決しようとする課題】
【０００９】
本発明は、上記の欠点を改善して、ロータとシュラウドとの間の所定クリアランスに対応している値以外の少なくとも１つの設定値を適用して、タービンシュラウドへ供給された空気流を制御することのできるシステムを提供することを目的とする。
【課題を解決するための手段】
【００１０】
この目的は、航空機エンジンにおけるガスタービンのシュラウドに与えられた空気流を制御するシステムであって、空気流が、第１の制御信号によって制御される位置の調整器バルブによって調整され、該第１の制御信号は、ロータとタービンシュラウドとの間の所定クリアランスに対応している第１の設定値に基づいて算出され、本発明に従って、タービンクリアランスを表わす第１の値とは異なる第２の設定値に基づいて少なくとも１つの第２の制御信号を算出する手段と、１つ以上のエンジンパラメータに応じて調整バルブを制御するために第２の制御信号を選択する選択手段とをさらに備えるシステムによって、達成される。
【００１１】
したがって、タービンシュラウドへ与えられる空気の流量は、ブレードとシュラウドとの間のクリアランスを表わす値以外の設定値に従って制御されることができ、システムは、作動時に設定値を制御するタイプを変更する手段を有している。
【００１２】
本発明の一実施形態では、第２の設定値は、所定のタービン温度あるいは所定のバルブ開口度に対応している。
【００１３】
第２の設定値が、定められたタービン温度に対応しているときには、選択手段は、摩耗のための温度上昇を検知することのできる１つ以上のエンジンパラメータに応じて、第２の制御信号を選択することができる。第２の設定値が、所定のバルブ開口度に対応しているときには、選択手段は、アイドル速度で作動しているエンジンを検知するか、あるいは第１の制御信号における障害を検知するために作用する１つ以上のエンジンパラメータに応じて、第２の制御信号を選択することができる。
【００１４】
本発明の別の実施形態では、システムは、第１の設定値および第２の設定値とは異なる第３の設定値に基づいて第３の制御信号を算出する手段をさらに備え、選択手段が、１つ以上のエンジンパラメータに応じて調整器バルブを制御するためにこの第３の制御信号を選択する。
【００１５】
第２の設定値が、所定のタービン温度に対応しているときには、第３の設定値は、所定のバルブ開口度に対応しているであろう。逆に、第２の設定値が、所定のバルブ開口度に対応しているときには、第３の設定値は、所定のタービン温度に対応しているであろう。
【００１６】
制御信号を算出する手段は、１つ以上のエンジンパラメータに応じてエンジンの初期条件を再構成する手段を備えてもよい。これによれば、機械が検出される実際条件で制御信号を算出するために使用される、数学的モデルの初期化が可能になる。
【００１７】
本発明のシステムによって制御されたように、空気流は、ファンから、あるいはエンジンにおける１つ以上の圧縮機段から得られた空気であってよい。
【００１８】
本発明の目的は、航空機エンジンにおけるガスタービンのシュラウドに与えられた空気流を制御する方法であって、空気流が、ロータとタービンシュラウドとの間の所定クリアランスに対応している第１の設定値から算出された第１の制御信号によって制御される位置の調整バルブによって調整され、本発明に従って、少なくとも１つの第２の制御信号も、タービンにおけるクリアランスを表わす第１の値とは異なる第２の設定値に基づいて算出され、前記第２制御信号が、エンジンの１つ以上のパラメータに応じて調整器バルブを制御するために選択される、方法によっても達成される。
【００１９】
第２の設定値は、所定のタービン温度に対応していてもよく、この場合に、第２の制御信号は、摩耗のための温度上昇を検知するように作用する１つ以上のエンジンパラメータ、あるいは所定のバルブ開口度に応じて選択され、第２の制御信号は、その後、エンジンがアイドル速度で作動する時点を検知すること、あるいは第１の制御信号の障害を検知することを可能にする、１つ以上のエンジンパラメータに応じて選択される。
【００２０】
ある実施では、第３の制御信号も、第１の設定値および第２の設定値とは異なる第３の設定値、すなわち、第２の設定値に関して選択された値に応じて、所定のタービン温度あるいは所定のバルブ開口度に基づいて算出され、第３の制御信号は、上記のように１つ以上のエンジンパラメータに応じて選択される１つ以上の他の設定値に応じて算出される。
【００２１】
本発明における他の特徴および利点は、非限定的な例として与えられかつ添付図面を参照して述べられた、本発明の特定の実施形態についての以下の説明から明らかになる。
【発明を実施するための最良の形態】
【００２２】
本発明によれば、図２には、航空機エンジンの高圧タービンの中へ噴射された空気流に与えられる制御の形態を論理的に選択する、システム１の実施形態についての簡略化モデルが示されている。すでに知られたように、システム１は、図１を参照して先に説明されたように、タービンブレードの先端とそのシュラウドとの間のクリアランスを制御するためのプロセッサシステムすなわち調整器ループ１０をまず備えている。調整器ループは、エンジンの中に存在するセンサから取得されたような特定のエンジンパラメータ４０（エンジンの速度、消費量、圧力など）について、達成すべき所望のクリアランスを算出する設定値生成器１１を備える。生成器１１は、設定値Ｖｃ１０を、比較器１３へ伝送し、比較器１３は、クリアランスの瞬時値に対応しているサーボ制御量Ｇａ１０を受信する入力部もある。サーボ制御量Ｇａ１０は、ブレード先端とタービンシュラウドとの間に存在するクリアランスを直接測定することができないために、ブレード先端とタービンシュラウドとの間に存在するクリアランスを算出する数学的モデル１２２を備える、モデリングユニット１２によって算出される。クリアランスは、ロータおよびステータの双方を先に確立した温度特性および機械特性についての関係に基づいてモデル化されている。
【００２３】
ブレード先端とシュラウドとの間のクリアランスは、ロータ部分およびステータ部分の熱膨脹および熱収縮にだけ応じるのではなく、そのような部分の機械的変形、例えば、ロータの遠心力の下でのブレードの延び、あるいはエンジンの内部における圧力によって増大するシュラウドの内径にも応じる。この目的のために、モデリングユニット１２は、モデルに基づいてクリアランスを算出するために必要なエンジン設定値４０を受信する。クリアランスを算出するために測定されかつ使用されたようなエンジンの作動パラメータは、例えば、タービン速度、ロータ温度、ステータ温度、およびタービンの近傍における内部および外部圧力によって構成されている。
【００２４】
モデリングユニット１２は、調整器ループの作動の第１の数瞬間において、モデルを初期化あるいは「リセット」するように作用する初期条件を再構成するモジュール１２１をさらに備える。モデルは、部品の変位を、モータで測定されたパラメータ（温度、圧力、ロータ速度、消費量など）に応じて予測するのに使用するための特性関係（ｂｅｈａｖｉｏｒ  ｒｅｌａｔｉｏｎｓｈｉｐ）を有する。それにもかかわらず、特性関係は、一般に、線形ではなく、エンジンの作動時間スケールに応じて変化する予測値に対応している。従って、モデルは、エンジンに適用される条件でまず初期化されなければならない。特に、使用される測定されたパラメータを適切に解釈することができるように、エンジンの常温始動条件あるいは高温始動条件についてモデルに「通知する」ことが必要である。一例として、エンジンを高温始動するときには、エンジンの要素の機械的変位は、常温始動のときに起きる機械的変位よりも大きく、また、熱平衡がエンジンの動作基点に到達するまで大きい。この現象によっても、ロータブレード先端とシュラウドとの間のクリアランスｊが異なる結果になる。この初期段階は、エンジンから測定されたパラメータ（温度、中断時間など）を使用して再構成することができる。
【００２５】
モデリングユニット１２は、ロータブレードとタービンシュラウドとの間に存在するクリアランスについての値に対応しているサーボ制御量Ｇａ１０を伝送する。この量Ｇａ１０は、存在するクリアランス量Ｇａ１０と到達されるべき設定値Ｖｃ１０との差を表す値Ｅ１０を出力する比較器１３における設定値Ｖｃ１０と比較される。値Ｅ１０は、修正器１４へ送られ、修正器１４は、所望のクリアランスを達成するためにタービンへ供給される適切な空気流を引き起こすために、比較器１３によって算出された差を、調整器バルブ６０への適用のための制御信号Ｓｃ１０に変換する。
【００２６】
図１を参照して説明されたように、シュラウドの径を変えるために、従ってロータブレードとシュラウドとの間のクリアランスを変えるために、空気が、タービンケーシングの中へ噴射される。タービンへ噴射される空気は、ファンからか、さもなければ１つ以上の高圧圧縮機段から引き出されることができ、異なる温度で流れを得ることを可能にする。簡略化の理由で、ファンからあるいは圧縮機から得られた空気の流量を調整する手段は、制御信号Ｓｃによって制御されたバルブ６０で表示されている。それにもかかわらず、当業者は、調整器手段の他の適切な形態、特に、空気が複数の圧縮機段から得られるときに、とりわけ１つ以上の調整器バルブの存在を想定することに、まったく困難を感じないであろう。
【００２７】
本発明に従って実施されたシステムの他の部分は、以下に説明される。それらは、少なくとも１つの他のプロセッサシステム２０または３０と、バルブ６０へ伝送する信号を制御する選択用装置５０との存在を主として含む。
【００２８】
プロセッサシステム２０は、バルブ制御論理が、タービンのクリアランス値ではなく温度の値に対応している設定値Ｖｃ２０に依存している点で、システム１０とは異なっている。この目的のために、システム１０と同じように、プロセッサシステム２０は、温度の値に対応しているサーボ制御量Ｇａ２０を算出するために、温度設定値Ｖｃ２０を、初期値の再構成ためのモジュール２２１に関連付けられた数学的モデル２２２が使用されるモデリングユニット２２へ伝送する設定値生成器２１を含み、この設定値生成器２１に、値Ｇａ２０と設定値Ｖｃ２０との差Ｅ２０を算出する比較器２３と、設定値に到達するように、差Ｅ２０をバルブ６０の位置を制御する目的のための制御信号Ｓｃ２０に変換する修正器２４とが続く。値Ｇａ２０は、値Ｇａ１０について先に説明されたのと同じ処理によって、しかし、温度特性についての関係を単独に備えるモデルを用いて得られる。エンジンで測定されてモデリングユニット２２によって使用されたパラメータは、モデリングユニット１２によって使用されたパラメータ（温度、圧力、ロータ速度、消費量など）と同じものである。
【００２９】
温度設定値Ｖｃ２０は、エンジンで測定されたパラメータに応じて作成される。これらのパラメータは、温度、圧力、ロータ速度、およびエンジンの消費量に対応することができる。
【００３０】
プロセッサシステム２０は、クリアランス制御が特定されないまま残る作動の段階の間か、あるいは部品の寿命がエンジンの効率よりも重要であるときにはいつも、タービン要素の温度を制御するように作用する。このことは、例えば、エンジンがその性能を損なう摩耗度を呈するときに適用される。従って、特定の燃料消費率および排出ガス温度は、エンジンの作動時間数あるいは利用周期数が増大するにつれて増大する。エンジンが経年変化すると、必要な推力を得るために、過剰な燃料がエンジンへ送り込まれる。これによって、燃料消費量が増大して、タービンの温度上昇が引き起こされ、その結果、タービンケーシングのような、経年変化度がすでに現れている部品の寿命が減少することがある。従って、空気流を温度に応じて制御することで、これらの部品の温度を制御することができ、それによって、特に離陸時のような推力についての要求が高い飛行の段階において、それらの寿命を増大させることができる。
【００３１】
クリアランス制御信号Ｓｃ１０と温度制御信号Ｓｃ２０との選択は、エンジンパラメータ４０から受信する１つ以上のパラメータに応じて、選択器５０によって実施される。一例として、エンジンの経年変化度は、排出ガス温度（ＥＧＴ）の増大に比例している。従って、選択器５０は、排出ガス温度を監視することができ、ある閾値を超えると、バルブ６０への適用のための信号Ｓｃとして作用するように制御信号Ｓｃ２０を選択し、次いで、クリアランス設定値ではなく温度設定値に関して制御される。バルブを、クリアランスに関してではなく温度に関して制御することが有利であり得る、動作の他の段階が存在する。このような段階は、例えば、航空機が最大荷重で上昇しているとき、あるいはエンジンをその寿命の限界に向けて使用するとき起きるような、高温で作動される間に起きる。これらの段階の１つに到達したという事実は、エンジンについて測定されたパラメータ（温度、圧力、ロータ速度、消費量など）に基づいて検出され、従って、最も適切な制御論理を自動的に選択することかできる。
【００３２】
図２のシステムは、位置に関してバルブを直接制御する別のプロセッサシステム３０を含む。この目的のために、システム３０は、設定値生成器３１のみを備え、設定値生成器３１は、設定値を、０％から１００％の範囲において決定されたようなバルブ開口度あるいはバルブ開口パーセントに対応している制御信号Ｓｃ３０の形態で直接伝送する。
【００３３】
この種の制御論理は、特に、ブレードとタービンシュラウドとの間に特定のクリアランスがないときや、タービンの中に生じた温度が、タービンの部品を損なうおそれのある温度レベルよりも充分に低いときに、エンジンの動作の段階において有用である。このような段階は、本質的に、エンジンが地上でアイドリングしているときに対応している。位置制御信号Ｓｃ３０を、バルブ３０への適用のための制御信号Ｓｃとして選択するために、選択器５０は、例えばロータ速度のような、エンジンがアイドリングする時点を検知するためのエンジン速度のパラメータを監視する。任意に、温度、圧力、あるいは消費量のパラメータもまた、バルブの位置制御を実施するための選択器によって考慮に入れることができる。
【００３４】
制御信号Ｓｃ３０はまた、他のプロセッサシステムの１つを使用するバルブ制御が故障している場合に、初期位置決め信号として作用することもできる。このような環境では、バルブが定められた位置に置かれることを保証するために、選択器５０によって、機能停止信号が、制御障害を表示する情報に応じて制御信号Ｓｃ３０に置き換えられる。
【００３５】
先に説明されたようなシステムおよび方法は、良く知られている種類のプログラム可能なプロセッサ手段（例えば、マイクロコントローラ）で実施される。本発明のシステムおよび方法は、例えば電子エンジン制御（ＥＥＣ）ユニットで、プログラムすることができ、かつ実施することができる。
【図面の簡単な説明】
【００３６】
【図１】高圧タービンシュラウドへの空気流を制御する装置の概略図である。
【図２】本発明によるシステムの実施形態におけるブロック図である。
【符号の説明】
【００３７】
１  システム
１０  調整器ループ
１１、２１、３１  設定値生成器
１２、２２  モデリングユニット
１３、２３  比較器
１４、２４  修正器
２０、３０  演算処理システム
４０  エンジンパラメータ
５０  選択器
６０  調整器バルブ
【図１】
2006002766.tif 000003
【図２】
2006002766.tif 000004
【外国語明細書】
2006002766.tif 000005
2006002766.tif 000006
2006002766.tif 000007
2006002766.tif 000008
2006002766.tif 000009
2006002766.tif 000010
2006002766.tif 000011
2006002766.tif 000012
2006002766.tif 000013
2006002766.tif 000014
2006002766.tif 000015
2006002766.tif 000016
2006002766.tif 000017
2006002766.tif 000018
2006002766.tif 000019
2006002766.tif 000020
2006002766.tif 000021
2006002766.tif 000022
2006002766.tif 000023